(57)【要約】【課題】通話中に通話相手の心証を害さずに、通話が中断されることを確実に伝達すること。【解決手段】通話制御装置１は、通話先との通話を中断する要求を取得する通話中断指示取得部５１０と、通話中断指示取得部５１０によって通話の中断要求が取得されたとき、前記通話先の通信装置との通信を切断することを示すメッセージを生成する通話中断メッセージ生成部５７０と、通話中断メッセージ生成部５７０によって生成されたメッセージを前記通信装置に送信する通話データ入出力部５８０と、を備える。【選択図】        図２
2009302860.tif 000002
【特許請求の範囲】
【請求項１】
通話先との通話を中断する要求を取得する取得手段と、
前記取得手段によって通話の中断要求が取得されたとき、前記通話先の通信装置との通信を切断することを示すメッセージを生成する生成手段と、
前記生成手段によって生成されたメッセージを前記通信装置に送信する送信手段と、
を備えることを特徴とする通話制御装置。
【請求項２】
前記送信手段によって前記メッセージが送信された後、前記通信装置との通信を通話中に切断する切断手段をさらに備えることを特徴とする請求項１に記載の通話制御装置。
【請求項３】
前記切断手段は、
前記送信手段によって前記メッセージが送信された後あらかじめ定められた切断待機時間を計測する切断時間計測手段と、
前記切断時間計測手段によって前記切断待機時間が計測されたとき、前記通信装置との通信を切断する通信切断手段と、
を含むことを特徴とする請求項２に記載の通話制御装置。
【請求項４】
前記切断手段によって通信が切断された後、通信を復帰させる復帰手段をさらに備えることを特徴とする請求項２または請求項３のいずれか１つに記載の通話制御装置。
【請求項５】
通話先との通話を中断する要求を取得する取得手順と、
前記取得手順によって通話の中断要求が取得されたとき、前記通話先の通信装置との通信を切断することを示すメッセージを生成する生成手順と、
前記生成手順によって生成されたメッセージを前記通信装置に送信する送信手順と、
をコンピュータに実行させることを特徴とする通話制御プログラム。
【発明の詳細な説明】
【技術分野】
【０００１】
本発明は、通話相手に通話が中断されることを確実に伝達する通話制御装置および通話制御プログラムに関する。
【背景技術】
【０００２】
近年、携帯電話の普及と、携帯電話の性能の向上とにより、通話をしたい人と通話をしたいときにいつでも通話をすることが可能になっている。この携帯電話を用いた通話では、通話者は、何らかの理由により通話を中断させたいが、通話相手の話中に割り込んで話をすることが困難である等通話を中断し難い場合がある。このような場合に、通話相手の心証を害さないように通話を中断する技術が求められている。
【０００３】
この通話相手の心証を害さないように通話を中断する技術として、通話を中断させたい通話者の携帯電話が、当該通話者の音声データに電波状態が悪化した場合に生じる雑音データを重畳する処理を行って通話先に送信し、あらかじめ設定された所定時間が経過したとき通話を中断する技術が開示されている（特許文献１）。
【０００４】
【特許文献１】特開２００２−３１４６７７号公報
【発明の開示】
【発明が解決しようとする課題】
【０００５】
しかしながら、上述した通話相手の心証を害さないように通話を中断する技術では、通話中に通話が中断されることが、通信先に確実に伝達されないという問題がある。すなわち、上述した特許文献１では、通話を中断させたい通話者の携帯電話が、雑音データを通話先に送信することによって、通話相手に電波状態が悪いことを想起させることができるが、通話が中断されることを予測させるまでには至らない。
【０００６】
本発明は、上記に鑑みてなされたものであって、携帯電話の通話相手の心証を害さずに、通話が中断されることを確実に伝達することができる通話制御装置および通話制御プログラムを提供することを目的とする。
【課題を解決するための手段】
【０００７】
上述した問題を解決し、目的を達成するために、通話制御装置は、通話先との通話を中断する要求を取得する取得手段と、前記取得手段によって通話の中断要求が取得されたとき、前記通話先の通信装置との通信を切断することを示すメッセージを生成する生成手段と、前記生成手段によって生成されたメッセージを前記通信装置に送信する送信手段と、を備えた構成を採る。
【０００８】
かかる構成によれば、通話制御装置は、通話者から通話先の通信装置との通話の中断要求がされることによって生成される通信装置との通信を切断することを示すメッセージを当該通信装置に対して送信することによって、通信が切断されることを通話先に知らせることができ、通話者が通話を中断したいとき通話が中断されることを確実に伝達することができる。その結果、その後通信が切断されても、あらかじめ通信が切断されることを通話相手に明示し突然切断されたわけではないため、通話者は通話相手の心証を害することはない。
【発明の効果】
【０００９】
本明細書に開示された通話制御装置および通話制御プログラムは、通話中に通話相手の心証を害さずに、通話が中断されることを確実に伝達することができるという効果を奏する。
【発明を実施するための最良の形態】
【００１０】
以下に、本発明にかかる通話制御装置の実施例を図面に基づいて詳細に説明する。なお、本実施例によりこの発明が限定されるものではない。
【実施例１】
【００１１】
図１は、実施例に係る通話制御装置の通話制御の概念を説明するための図である。図１では、携帯電話Ａが本実施例に係る通話制御装置を備え通話相手（通話者Ｂ）に通話の中断を予測させる通話制御を行う。また、携帯電話Ｂは、通話可能な携帯電話であれば良い。なお、図１では、通話を、携帯電話Ａと携帯電話Ｂとの間で行うものとしているが、これに限定されるものではなく、携帯電話Ａを含んだ多者間通話であっても良い。
【００１２】
具体的に説明すると、図１上段では、通話者Ａと通話者Ｂとが、それぞれの携帯電話Ａ、Ｂを介して、通話を行っている。通話者Ａが、通話中に何らかの理由で通話者Ｂとの通話を中断したいとき、通話の中断を携帯電話Ａに指示し、携帯電話Ａは、携帯電話Ｂに対して通話中断メッセージを出力する（図１中段）。ここで、通話中断メッセージとは、携帯電話Ａが通話の中断を行うために、通話相手に通信を切断することを示すメッセージである。携帯電話Ａが通話中断メッセージを携帯電話Ｂに対して出力した後、携帯電話Ａは、携帯電話Ｂとの通話を自動的に中断する（図１下段）。すなわち、携帯電話Ａは、通話者Ａから通話の中断を指示されたとき、通話中断メッセージを出力して、通話者Ｂに通話が中断されることを意識させた後、実際に通話を中断する。
【００１３】
次に、図２は、実施例１に係る通話制御装置の構成を示す機能ブロック図である。同図に示すように、通話制御装置１は、操作部１０と、液晶表示部２０と、スピーカ３０と、ユーザインタフェース部４０と、制御部５０と、電源６０と、ミキシング部７０と、無線部８０と、アンテナ９０と、を備える。
【００１４】
操作部１０は、通話制御装置１の入力装置である。操作部１０は、制御部５０が実行する通話の中断処理にあらかじめ割り当てられたボタンを含み、通話者によって当該ボタンが押下されたとき、制御部５０に対して通話の中断処理の実行を指示する通話中断指示をユーザインタフェース部４０に対して出力する。
【００１５】
液晶表示部２０は、通話制御装置１の液晶表示装置であり、制御部５０によって処理された表示情報をユーザインタフェース部４０から取得し、取得した表示情報を出力する。スピーカ３０は、通話制御装置１の音を出力する出力装置であり、制御部５０によって処理された音声情報をユーザインタフェース部４０から取得し、取得した音声情報を出力する。
【００１６】
ユーザインタフェース部４０は、操作部１０、液晶表示部２０およびスピーカ３０と制御部５０とを接続する処理部である。ユーザインタフェース部４０は、操作部１０から出力された通話中断指示を取得し、制御部５０に対して出力する。また、ユーザインタフェース部４０は、制御部５０によって処理された表示情報および音声情報を取得し、それぞれ液晶表示部２０およびスピーカ３０に対して出力する。
【００１７】
制御部５０は、通話中断指示取得部５１０と、切断時間調整部５２０と、タイマ制御部５３０と、通信切断部５４０と、復帰時間調整部５５０と、通信復帰部５６０と、通話中断メッセージ生成部５７０と、通話データ入出力部５８０と、情報記憶部５９０と、を備える。
【００１８】
通話中断指示取得部５１０は、ユーザインタフェース部４０から出力された通話中断指示を取得し、通話中断メッセージ生成部５７０および切断時間調整部５２０に対して出力する。
【００１９】
切断時間調整部５２０は、通話中断指示を通話中断指示取得部５１０から取得すると、通信を切断するまでの時間を調整する。例えば、切断時間調整部５２０は、通話相手に対応した柔軟性のある通信の切断を行うため、通話中の通話相手の電話番号を示す通話番号５９４を情報記憶部５９０から読み込み、読み込まれた通話番号５９４に対応した通信の切断までの切断待機時間を切断時間情報５９２から抽出する。そして、切断時間調整部５２０は、抽出した切断待機時間と時間の計測を指示する計測指示とをタイマ制御部５３０に対して出力する。そして、切断時間調整部５２０は、タイマ制御部５３０から計測の終了通知を取得すると、通信の切断指示を通信切断部５４０に対して出力する。なお、切断時間調整部５２０は、タイマ制御部５３０に対して、通話中の通話相手に対応した可変の切断待機時間を出力しているが、あらかじめ定められた固定の切断待機時間を出力しても良い。また、切断待機時間は、通話データ入出力部５８０から通話相手に対して通話中断メッセージを出力した後に通信を切断させるための猶予時間を含むものとする。
【００２０】
タイマ制御部５３０は、切断時間調整部５２０または復帰時間調整部５５０から切断待機時間と計測指示とを取得すると、時間を計測する制御機器であるタイマに切断待機時間を設定し、タイマを起動する。そして、タイマ制御部５３０は、切断待機時間が経過されたとき、切断時間調整部５２０に対して切断待機時間の計測が終了したことを通知する。
【００２１】
通信切断部５４０は、切断時間調整部５２０から通信の切断指示を取得すると、通信を切断する。例えば、通信切断部５４０は、電源６０を強制的に切断するために、電力供給の停止を指示する電力供給停止指示を電源６０に対して出力する。なお、通信切断部５４０は、通信の切断方法として、電源６０を切断する代わりに、現在通信中のプロトコル手順に従って切断しても良く、例えば通信の切断方法を選択できるように情報記憶部５９０に保持して、選択された通信の切断方法に対応した通信の切断を行っても良い。また、通信切断部５４０は、通信を切断した後、通信の復帰指示を復帰時間調整部５５０に対して出力する。
【００２２】
復帰時間調整部５５０は、通信の復帰指示を通信切断部５４０から取得すると、通信を復帰するまでの時間を調整する。例えば、復帰時間調整部５５０は、通話相手に対応した柔軟性のある通信の復帰を行うため、通話中の通話相手の電話番号を示す通話番号５９４を情報記憶部５９０から読み込み、読み込まれた通話番号５９４に対応した通信の復帰までの復帰待機時間を復帰時間情報５９３から抽出する。そして、復帰時間調整部５５０は、抽出した復帰待機時間と時間の計測を指示する計測指示とをタイマ制御部５３０に対して出力する。そして、復帰時間調整部５５０は、タイマ制御部５３０から計測の終了通知を取得すると、通信の復帰指示を通信復帰部５６０に対して出力する。なお、復帰時間調整部５５０は、タイマ制御部５３０に対して、通話中の通話相手に対応した可変の復帰待機時間を出力しているが、あらかじめ定められた固定の復帰待機時間を出力するものとしても良い。また、復帰待機時間は、通話者が通話よりも優先的に行いたい作業にかかる時間を考慮した時間であっても良い。
【００２３】
通信復帰部５６０は、復帰時間調整部５５０から通信の復帰指示を取得すると、通話が可能な状態になるように通信を復帰する。例えば、通信復帰部５６０は、電源６０を投入するために、操作部１０からのユーザキー操作等による電力供給の復帰後、復帰時間調整部５５０が示す復帰待機時間を経過していればそのまま電源復帰を許容し、未経過であれば復帰を許容せず、再度電源６０に対して電源オフ指示を出力する。なお、通信復帰部５６０は、電源６０を切断する代わりに自装置１を擬似的に圏外状態にするセルフモードによって通信を切断しているときは、セルフモードを解除する。この場合、通信復帰部５６０は、通信の切断方法に対応した通信の復帰を行うために、前述したように通信の切断方法を選択できるように情報記憶部５９０に保持して、保持された通信の切断方法に対応した通信の復帰をしても良い。
【００２４】
通話中断メッセージ生成部５７０は、通話中断指示取得部５１０から通話中断指示を取得すると、通話中断メッセージを生成する。例えば、通話中断メッセージ生成部５７０は、通話相手に通信を切断することを示す通話中断メッセージ「ただ今、通信状態が悪化しており通信切断のおそれがあります。」を情報記憶部５９０の音声データ情報５９１から抽出する。そして、通話中断メッセージ生成部５７０は、生成した通話中断メッセージを通話データ入出力部５８０に対して出力する。なお、通話中断メッセージは、ミキシング部７０から取得される通話者の音声の一部を無音に置き換えて、音声が途切れ途切れになるようなメッセージであっても良い。また、通話中断メッセージは、ミキシング部７０から取得される通話者からの音声に品質劣化を表すアラーム音をミキシングしたメッセージまたは、通話者からの音声にボツ音をミキシングしたメッセージであっても良い。さらに、通話中断メッセージは、通話者の音声を意図的に劣化させた音声（例えば、かすれた音声）に変換したメッセージであっても良い。
【００２５】
通話データ入出力部５８０は、通話中断メッセージ生成部５７０から通話中断メッセージを取得すると、取得した通話中断メッセージを無線部８０に対して出力する。また、通話データ入出力部５８０は、無線部８０から通話相手からの音声を取得すると、ミキシング部７０に出力する。
【００２６】
情報記憶部５９０は、音声データ情報５９１と、切断時間情報５９２と、復帰時間情報５９３と、通話番号５９４と、を保持する。音声データ情報５９１は、通話相手に通信を切断することを示す通話中断メッセージを複数保持する。通話中断メッセージは、例えば「ただ今、通信状態が悪化しており通信切断のおそれがあります。」メッセージおよび「ただ今、電池の残量不足のため、通信切断のおそれがあります。」メッセージ等であるが、これらに限定されない。切断時間情報５９２は、通信を切断するまでの計測時間であって通話相手に対応した計測時間を示す情報である。復帰時間情報５９３は、通信を復帰するまでの計測時間であって通話相手に対応した計測時間を示す情報である。通話番号５９４は、現在通話中の通話相手の電話番号を示す情報である。なお、情報記憶部５９０は、ＲＡＭ（Randam Access Memory）または磁気ディスク装置その他の記憶媒体である。
【００２７】
電源６０は、通話制御装置１に内蔵された、通話制御装置１全体に対する電力供給源である。電源６０は、通信切断部５４０から電力供給停止指示を取得すると、電力の供給を停止する。また、電源６０は、通話者のキー操作やＡＲＩＢ規格による接続等の外部トリガによる電源オン、もしくはＲＴＣ（Real Time Clock）等から電力供給復帰指示を取得すると、電力の供給を再開する。
【００２８】
ミキシング部７０は、通話者の音声を通話中断メッセージ生成部５７０に出力する。また、ミキシング部７０は、通話相手の音声を音声データ入出力部５８０から取得して、通話者に出力する。
【００２９】
無線部８０は、通話データ入出力部５８０から通話中断メッセージを取得すると、通話中断メッセージをアンテナ９０に対して出力する。また、無線部８０は、アンテナ９０から通話相手の音声データを取得して、当該音声データを通話データ入出力部５８０に出力する。
【００３０】
アンテナ部９０は、基地局から音声データを取得すると、無線部８０に対して出力する。また、アンテナ部９０は、無線部８０から取得した通話中断メッセージを基地局に対して送信する。
【００３１】
次に実施例１に係る通話制御装置１の処理を、図３を参照して説明する。図３は、実施例１に係る通話制御装置の処理を示すフローチャートである。
【００３２】
まず、通話者が通話中に通話を中断したいとき、あらかじめ通話の中断処理用に割り当てられた操作部１０のボタンを操作すると、制御部５０に対して通話の中断処理の実行を指示する通話中断指示が、通話中断指示取得部５１０によって取得される（Ｓ１１０）。そして、通話中断指示取得部５１０は、取得した通話中断指示を通話中断メッセージ生成部５７０および切断時間調整部５２０に対して出力する。
【００３３】
通話中断指示取得部５１０から通話中断指示を取得した通話中断メッセージ生成部５７０は、通話相手に通信を切断することを示す通話中断メッセージを生成する（Ｓ１２０）。具体的には、通話中断メッセージ生成部５７０は、通話相手に通信を切断することを示す音声データを情報記憶部５９０の音声データ情報５９１から抽出する。
【００３４】
引き続き、通話中断メッセージ生成部５７０によって通話中断メッセージが生成されると、通話データ入出力部５８０は、通話中断メッセージを無線部８０に対して出力する（Ｓ１３０）。通話中断メッセージを取得した無線部８０は、通話中断メッセージを、アンテナ９０を介して相手先に送信する。これにより、通話データ入出力部５８０は、通話相手に通信を切断することを示す通話中断メッセージを送信することによって、通話相手に通話の継続が不可能な状況または通話が困難な状況であることを知らせることができる。
【００３５】
また、通話中断指示取得部５１０から通話中断指示を取得した切断時間調整部５２０は、切断待機時間を切断時間情報５９２から抽出する（Ｓ１４０）。具体的には、切断時間調整部５２０は、通話中の通話相手の電話番号を示す通話番号５９４を情報記憶部５９０から読み込み、読み込まれた通話番号５９４に対応した切断待機時間を切断時間情報５９２から抽出する。通話番号５９４に対応した切断待機時間を抽出することによって、切断時間調整部５２０は、例えば気が短い人には気が長い人に比べて短い時間を切断待機時間にする等通話相手の性格に合わせて通信の切断までの切断待機時間を変えることができることとなり、通話の中断処理に柔軟性を持たせることができる。そして、切断時間調整部５２０は、切断待機時間とともに時間の計測を指示する計測指示をタイマ制御部５３０に対して出力する。
【００３６】
そして、計測指示を取得したタイマ制御部５３０は、計測指示とともに取得した切断待機時間を計測するために、タイマを起動する（Ｓ１５０）。
【００３７】
タイマが起動された時点から切断待機時間が経過していない場合には（Ｓ１６０Ｎｏ）、タイマ制御部５３０は、引き続き時間を計測する。
【００３８】
一方、タイマが起動された時点から切断待機時間が経過した場合には（Ｓ１６０Ｙｅｓ）、計測が終了したことを、切断時間調整部５２０に対して通知する。
【００３９】
計測の終了通知を取得した切断時間調整部５２０は、通信の切断指示を通信切断部５４０に対して出力し、通信の切断指示を取得した通信切断部５４０は、通信を切断する（Ｓ１７０）。具体的には、通信切断部５４０は、現在通信している所定のプロトコル手順を踏んで通話を切断する。また、切断時間調整部５２０は、通話を途中で切断するため、電力供給停止指示を電源６０に対して出力することで切断しても良い。これにより、通話制御装置１は、あらかじめ通話中断メッセージを相手先に送信した後通信の切断をしているため、相手先は通信が切断されることを予測しており、心証を害することはない。
【００４０】
その後、通信切断部５４０は復帰時間調整部５５０に対して通信の復帰指示を出力し、通信の復帰指示を取得した復帰時間調整部５５０は、復帰待機時間を復帰時間情報５９３から抽出する（Ｓ１８０）。具体的には、復帰時間調整部５５０は、通話中の通話相手の電話番号を示す通話番号５９４を情報記憶部５９０から読み込み、読み込まれた通話番号５９４に対応した通信の復帰までの復帰待機時間を復帰時間情報５９３から抽出する。通話番号５９４に対応した復帰待機時間を抽出することによって、復帰時間調整部５５０は、例えば気が短い人には気が長い人に比べて短い時間を復帰待機時間にする等通話相手の性格に合わせて通信の復帰までの復帰待機時間を変えることができることとなり、通話の中断処理に柔軟性を持たせることができる。そして、復帰時間調整部５５０は、復帰待機時間とともに時間の計測を指示する計測指示をタイマ制御部５３０に対して出力する。
【００４１】
そして、計測指示を取得したタイマ制御部５３０は、計測指示とともに取得した復帰待機時間を計測するために、タイマを起動する（Ｓ１９０）。
【００４２】
タイマが起動された時点から復帰待機時間が経過していない場合には（Ｓ２００Ｎｏ）、タイマ制御部５３０は、引き続き時間を計測する。
【００４３】
一方、タイマが起動された時点から復帰待機時間が経過した場合には（Ｓ２００Ｙｅｓ）、計測が終了したことを、復帰時間調整部５５０に対して通知する。
【００４４】
計測の終了通知を取得した復帰時間調整部５５０は、通信の復帰指示を通信復帰部５６０に対して出力し、通信の復帰指示を取得した通信復帰部５６０は、通信の切断を解除する（Ｓ２１０）。具体的には、通信復帰部５６０は、例えばセルフモードによって通信を切断しているときは、通信の接続を復帰するため、セルフモードを解除しても良い。また、通信復帰部５６０は、電源６０による電源切断状態が継続していた場合には、通話者のキー操作やＡＲＩＢ接続等の外部トリガによる電源オンの後、ＲＴＣ等から経過時間を取
得し、復帰待機時間が満了しているか否かを判定して、復帰待機時間が満了のときに通信の接続を復帰する。さらに、ＲＴＣ自体にもタイマ動作があるため、通信切断部５４０が、電源６０に電源供給停止指示を出力するとき、ＲＴＣのタイマ自体に切断待機時間を設定することにより、自動的に復帰させることも可能である。このようにして、通話制御装置１は、通信の切断から一定時間後に通信を復帰することによって再び通話可能の状態になるため、特定の通話相手との通話を拒否する着信拒否をしていないことを通信相手に思わせることができ、通話相手の心証を害することはない。
【００４５】
以上のように本実施例１によれば、通話制御装置１は、通話先の携帯電話との通話を中断する要求を通話者から取得し、通話の中断要求が取得されたとき、通話先の携帯電話との通信を切断することを示すメッセージを生成し、生成されたメッセージを通話先の携帯電話に送信する。
【００４６】
このようにして、通話制御装置１は、通話者から通話先の携帯電話との通話の中断要求がされることによって生成される携帯電話との通信を切断することを示すメッセージを当該携帯電話に対して送信することによって、通信が切断されることを通話先に知らせることができ、通話者が通話を中断したいとき通話が中断されることを確実に伝達することができる。その結果、その後通信が切断されても、あらかじめ通信が切断されることを通話相手に明示し突然切断されたわけではないため、通話者は通話相手の心証を害することはない。
【実施例２】
【００４７】
ところで、上記の実施例１では、通信の切断から一定時間経過後に自動的に通信を復帰する場合を説明したが、本発明はこれに限定されるものではなく、通信の切断後手動で通信を復帰しても良い。
【００４８】
そこで、実施例２では、通信の切断後手動で通信を復帰する場合を説明する。まず、実施例２に係る通話制御装置の構成について図４を参照しながら説明する。図４は、実施例２に係る通話制御装置の構成を示す機能ブロック図である。同図に示すように、実施例２に係る通話制御装置２では、実施例１に係る通話制御装置（図２）から復帰時間調整部５５０が削除され、通信復帰指示取得部６２０が追加され、操作部１００が変更されている。なお、図４において、図２と同じ部分には同じ符号を付し、詳しい説明を省略する。
【００４９】
操作部１００は、通話制御装置２の入力装置である。操作部１００は、制御部５０が実行する通話の中断処理にあらかじめ割り当てられた中断ボタンおよび制御部５０が実行する通信の復帰処理にあらかじめ割り当てられた復帰ボタンを含む。操作部１００は、通話者によって中断ボタンが操作されたとき、制御部５０に対して通話の中断処理の実行を指示する通話中断指示をユーザインタフェース部４０に対して出力する。また、操作部１００は、通話者によって復帰ボタンが操作されたとき、制御部５０に対して通信の復帰処理の実行を指示する通信復帰指示をユーザインタフェース部４０に対して出力する。なお、操作部１００は、ボタンに限定されず、キーボードであっても良い。
【００５０】
通信切断部６１０は、切断時間調整部５２０から通信の切断指示を取得すると、通信を切断する。例えば、通信切断部６１０は、電源６０を強制的に切断するために、電力供給の停止を指示する電力供給停止指示を電源６０に対して出力する。また、通信切断部６１０は、通信の切断方法として、電源６０を切断する代わりに、現在通信中のプロトコルの所定手順に従って切断しても良く、例えば通信の切断方法を選択できるように情報記憶部５９０に保持して、選択された通信の切断方法に対応した通信の切断をしても良い。
【００５１】
通信復帰指示取得部６２０は、ユーザインタフェース部４０から出力された通信復帰指示を取得し、通信復帰部６３０に対して出力する。なお、通信復帰指示は、操作部１００から出力されるものとしたが、電源６０の投入時またはセルフモードの解除時にそれぞれ使用する既存の操作によって行われるものとしても良い。
【００５２】
通信復帰部６３０は、通信復帰指示取得部６２０から通信復帰指示を取得すると、通話が可能な状態になるように通信を復帰する。例えば、通信復帰部６３０は、電源６０を切断する代わりに通話制御装置２を擬似的に圏外状態にするセルフモードによって通信切断状態を維持しているときは、セルフモードを解除する。この場合、通信復帰部６３０は、通信の切断方法に対応した通信の復帰を行うために、通信の切断方法を選択できるように情報記憶部５９０に保持して、選択された通信の切断方法に対応した通信の復帰を行っても良い。
【００５３】
次に、実施例２に係る通話制御装置２の処理を、図５を参照しながら説明する。図５は、実施例２に係る通話制御装置の処理を示すフローチャートである。なお、図５において、図３と同じ部分には同じ符号を付し、詳しい説明を省略する。
【００５４】
まず、操作部１００から制御部５０に対して通話の中断処理の実行を指示する通話中断指示が、通話中断指示取得部５１０に出力されると、通話中断指示取得部５１０は、通話中断指示を取得し（Ｓ１１０）、取得された通話中断指示を通話中断メッセージ生成部５７０および切断時間調整部５２０に対して出力する。通話中断指示を取得した通話中断メッセージ生成部５７０は、通話相手に通信を切断することを示す通話中断メッセージを生成して（Ｓ１２０）、相手先に送信する（Ｓ１３０）。また、通話中断指示を取得した切断時間調整部５２０は、通信の切断までの切断待機時間を調整して（Ｓ１４０〜Ｓ１６０）、切断待機時間が経過した後通信切断部６１０は、通信を切断する（Ｓ１７０）。
る。
【００５５】
その後、通話者が通信を復帰したいとき、あらかじめ通信の復帰処理用に割り当てられた操作部１００のボタンを操作すると、制御部５０に対して通信の復帰処理の実行を指示する通信復帰指示が、通信復帰指示取得部６２０によって取得される（Ｓ３１０）。そして、通信復帰指示取得部６２０は、取得した通信復帰指示を通信復帰部６３０に対して出力する。
【００５６】
通信復帰指示を取得した通信復帰部６３０は、通信の切断を解除する（Ｓ３２０）。具体的には、通信復帰部６３０は、通信の接続を復帰するため、電力供給復帰指示を電源６０に対して出力する。なお、通信復帰部６３０は、セルフモードによって通信を切断しているときは、通信の接続を復帰するために、セルフモードを解除しても良い。このようにして、通話制御装置２は、通信の切断後通話者の希望する時間に通信を復帰させることによって、通話の中断時間を通話者の希望通りに調整することができる。結果として、通話者は、好きなだけ通話よりも優先度の高い作業を行うことができる。
【００５７】
以上のように本実施例２によれば、通話制御装置２は、通話先の携帯電話との通話を中断する要求を通話者から取得し、通話の中断要求が取得されたとき、通話先の携帯電話との通信を切断することを示すメッセージを生成し、生成されたメッセージを通話先の携帯電話に送信する。そして、通話制御装置２は、通信を復帰する要求を通話者から取得し、通信の復帰要求が取得されたとき、携帯電話との通信を復帰する。
【００５８】
このようにして、通話制御装置２が通話の中断後通話者から通信の復帰要求がされたとき通信を復帰することによって、通話者は、通話以外の別の作業を優先的に行いたいとき、通話に邪魔されないで当該作業を好きなだけ行うことができる。
【００５９】
なお、通話制御装置１および通話制御装置２にて行われる各処理機能は、その全部または任意の一部が、ＣＰＵ（Central Processing Unit）にて解析実行されるプログラムにて実現され、あるいは、ワイヤードロジックによるハードウェアとして実現されても良い。
【００６０】
以上の実施例にかかる実施形態に関し、さらに以下の付記を開示する。
【００６１】
（付記１）通話先との通話を中断する要求を取得する取得手段と、
前記取得手段によって通話の中断要求が取得されたとき、前記通話先の通信装置との通信を切断することを示すメッセージを生成する生成手段と、
前記生成手段によって生成されたメッセージを前記通信装置に送信する送信手段と、
を備えることを特徴とする通話制御装置。
【００６２】
（付記２）前記送信手段によって前記メッセージが送信された後、前記通信装置との通信を通話中に切断する切断手段をさらに備えることを特徴とする付記１に記載の通話制御装置。
【００６３】
（付記３）前記切断手段は、
前記送信手段によって前記メッセージが送信された後あらかじめ定められた切断待機時間を計測する切断時間計測手段と、
前記切断時間計測手段によって前記切断待機時間が計測されたとき、前記通信装置との通信を切断する通信切断手段と、
を含むことを特徴とする付記２に記載の通話制御装置。
【００６４】
（付記４）前記切断時間計測手段は、
前記送信手段によって前記メッセージが送信された後前記通信装置ごとに定められた切断待機時間を計測することを特徴とする付記３に記載の通話制御装置。
【００６５】
（付記５）前記通話切断手段は、
前記切断時間計測手段によって前記切断待機時間が計測されたとき、前記通信装置との通信を遮断することまたは電源を切断することにより通信を切断することを特徴とする付記３または付記４に記載の通話制御装置。
【００６６】
（付記６）前記切断手段によって通信が切断された後、通信を復帰させる復帰手段をさらに備えることを特徴とする付記２から付記５のいずれか１つに記載の通話制御装置。
【００６７】
（付記７）前記復帰手段は、
前記切断手段によって通信が切断された後あらかじめ定められた復帰待機時間を計測する復帰時間計測手段と、
前記復帰時間計測手段によって前記復帰待機時間が計測されたとき、前記通信装置との通信を復帰する通信復帰手段と、
を含むことを特徴とする付記６に記載の通話制御装置。
【００６８】
（付記８）前記復帰時間計測手段は、
前記切断手段によって通信が切断された後前記通信装置ごとに定められた復帰待機時間を計測することを特徴とする付記７に記載の通話制御装置。
【００６９】
（付記９）通話先との通話を中断する要求を取得する取得工程と、
前記取得工程によって通話の中断要求が取得されたとき、前記通話先の通信装置との通信を切断することを示すメッセージを生成する生成工程と、
前記生成工程によって生成されたメッセージを前記通信装置に送信する送信工程と、
を含むことを特徴とする通話制御方法。
【００７０】
（付記１０）通話先との通話を中断する要求を取得する取得手順と、
前記取得手順によって通話の中断要求が取得されたとき、前記通話先の通信装置との通信を切断することを示すメッセージを生成する生成手順と、
前記生成手順によって生成されたメッセージを前記通信装置に送信する送信手順と、
をコンピュータに実行させることを特徴とする通話制御プログラム。
【図面の簡単な説明】
【００７１】
【図１】実施例に係る通話制御装置の通話制御の概念を説明するための図である。
【図２】実施例１に係る通話制御装置の構成を示す機能ブロック図である。
【図３】実施例１に係る通話制御装置の処理を示すフローチャートである。
【図４】実施例２に係る通話制御装置の構成を示す機能ブロック図である。
【図５】実施例２に係る通話制御装置の処理を示すフローチャートである。
【符号の説明】
【００７２】
１  通話制御装置
１０  操作部
２０  液晶表示部
３０  スピーカ
４０  ユーザインタフェース部
５０  制御部
６０  電源
７０  ミキシング部
８０  無線部
９０  アンテナ
５１０  通話中断指示取得部
５２０  切断時間調整部
５３０  タイマ制御部
５４０  通信切断部
５５０  復帰時間調整部
５６０  通信復帰部
５７０  通話中断メッセージ生成部
５８０  通話データ入出力部
５９０  情報記憶部
５９１  音声データ情報
５９２  切断時間情報
５９３  復帰時間情報
５９４  通話番号
【図１】
2009302860.tif 000003
【図２】
2009302860.tif 000004
【図３】
2009302860.tif 000005
【図４】
2009302860.tif 000006
【図５】
2009302860.tif 000007